(57)【特許請求の範囲】
【請求項１】
剥離性コーティングを施した２枚の長尺シートのコーティング面に接して、感熱接着剤を配合されてなる粘着剤層が間に介在して積層された粘着剤積層シートであり、２枚の長尺シートのコーティング面の剥離性に軽重の差があることを特徴とする粘着剤積層シート。
【請求項２】
剥離性コーティングを施した第一の長尺シートのロール巻原反を繰り出し、コーティング面に図柄、文字又は数字の形状に粘着剤液を印刷塗工し、乾燥することにより、粘着剤層を形成し、剥離性コーティングを施した第二の長尺シートのロール巻原反を繰り出し、そのコーティング面が粘着剤層と接するように積層する粘着剤積層シートの製造方法であって、第一の長尺シートと第二の長尺シートのコーティングの剥離性に軽重の差があることを特徴とする所定の形状の粘着剤層を被転写物の非平滑平面へ転写させるために用いる粘着剤積層シートの製造方法。
【請求項３】
剥離性に軽重の差があるコーティングを施した２枚の長尺シートのコーティング面に接して、図柄、文字又は数字の形状の粘着剤層が積層されたロール巻原反を繰り出し、２枚の長尺シートを剥がして重剥離性のコーティング面に粘着剤層を残し、非平滑面を有する被転写物に該粘着剤層を接触させ、長尺シートの背面より加圧及び加熱することにより、粘着剤層を被転写物の非平滑面に転写することを特徴とする粘着剤層の転写方法。
【発明の詳細な説明】
【０００１】
【発明の属する技術分野】
本発明は、粘着剤積層シート、該シートの製造方法及び該シートを用いる粘着剤層の転写方法に関する。さらに詳しくは、本発明は、２枚の長尺シートの間に積層された粘着剤層を、一方の長尺シート上に残存させることができる粘着剤積層シート、該シートの製造方法、及び、該シートを用いてその粘着剤層を難転写表面や非平滑面にも容易かつ確実に転写することができる転写方法に関する。
【０００２】
【従来の技術】
粘着剤は、熱などの助けを必要とせず、指圧などのごく低い圧力で他の面に接着する材料であり、作業が簡単で、乾燥が不要で作業時間が短いことから、さまざまな分野で広く使用されている。このような用途の中で、不織布、ネット、エンボス加工品などの平滑でない表面に、図柄、文字、数字などを粘着剤で塗工したいという要求が生まれてきた。非平滑面に粘着剤を塗工するためには、粘着剤液をグラビヤロールを用いて印刷したり、インクジェットプリンターを用いて印字することが行われていた。しかし、粘着剤液は粘度が低いので、非平滑面に適用されると滲みを生じやすく、図柄、文字、数字などの鮮明な塗工が困難であり、また、粘着剤液の乾燥工程が必須となるので、乾燥温度に耐えられない材料もあった。このために、非平滑面に対しても、粘着剤層を鮮明に形成し得る手段が求められていた。
【０００３】
【発明が解決しようとする課題】
本発明は、２枚の長尺シートの間に積層された粘着剤層を、一方の長尺シート上に残存させることができる粘着剤積層シート、該シートの製造方法、及び、該シートを用いてその粘着剤層を難転写表面や非平滑面にも容易かつ確実に転写することができる転写方法を提供することを目的としてなされたものである。
【０００４】
【課題を解決するための手段】
本発明者は、上記の課題を解決すべく鋭意研究を重ねた結果、２枚の長尺シートの間に所定の図柄などを有する粘着剤層を形成し、一方のシートを剥がして他方のシート面に粘着剤層を残し、この粘着剤層を転写することにより、非平滑面であっても図柄などの形状の粘着剤層を鮮明に形成し得ることを見いだし、この知見に基づいて本発明を完成するに至った。
すなわち、本発明は、
（１）剥離性コーティングを施した２枚の長尺シートのコーティング面に接して、感熱接着剤を配合されてなる粘着剤層が間に介在して積層された粘着剤積層シートであり、２枚の長尺シートのコーティング面の剥離性に軽重の差があることを特徴とする粘着剤積層シート、
（２）剥離性コーティングを施した第一の長尺シートのロール巻原反を繰り出し、コーティング面に図柄、文字又は数字の形状に粘着剤液を印刷塗工し、乾燥することにより、粘着剤層を形成し、剥離性コーティングを施した第二の長尺シートのロール巻原反を繰り出し、そのコーティング面が粘着剤層と接するように積層する粘着剤積層シートの製造方法であって、第一の長尺シートと第二の長尺シートのコーティングの剥離性に軽重の差があることを特徴とする所定の形状の粘着剤層を被転写物の非平滑平面へ転写させるために用いる粘着剤積層シートの製造方法、及び、
（３）剥離性に軽重の差があるコーティングを施した２枚の長尺シートのコーティング面に接して、図柄、文字又は数字の形状の粘着剤層が積層されたロール巻原反を繰り出し、２枚の長尺シートを剥がして重剥離性のコーティング面に粘着剤層を残し、非平滑面を有する被転写物に該粘着剤層を接触させ、長尺シートの背面より加圧及び加熱することにより、粘着剤層を被転写物の非平滑面に転写することを特徴とする粘着剤層の転写方法、
を提供するものである。
【０００５】
【発明の実施の形態】
本発明の粘着剤積層シートは、剥離性コーティングを施した２枚の長尺シートのコーティング面に接して粘着剤層が積層された粘着剤積層シートであって、２枚のコーティング面の剥離性に軽重の差がある粘着剤積層シートである。本発明において、長尺シートの材質に特に制限はなく、例えば、プラスチックフイルム、紙などを挙げることができる。本発明に用いる粘着剤に特に制限はなく、例えば、ゴム系粘着剤、アクリル系粘着剤などを挙げることができる。本発明において、粘着剤層の形状に特に制限はなく、例えば、図柄、文字、数字、べた塗りなどを挙げることができる。
図１は、本発明の粘着剤積層シートの一態様の模式的部分断面図である。本態様の粘着剤積層シートは、軽剥離性コーティング１を施した長尺シート２と、重剥離性コーティング３を施した長尺シート４のコーティング面に接して、粘着剤層５が積層されている。軽剥離性とは、小さい力で容易に剥離する性質であり、重剥離性とは、剥離に大きい力を要する性質である。図１に示す態様の粘着剤積層シートにおいて、長尺シート２と長尺シート４を引き剥がすと、粘着剤層５は重剥離性コーティング３が施された長尺シート４側に残り、軽剥離性コーティング１が施された長尺シート２は粘着剤層から離れて除去される。
【０００６】
本発明において、軽重の差がある剥離性コーティングの形成方法に特に制限はなく、例えば、同種の剥離剤の溶液を用いてその濃淡に差をつけることにより、剥離性に差をつけることができ、あるいは、使用する剥離剤の組成を変えることにより、剥離性に差をつけることもできる。同種の剥離剤の溶液であっても、濃厚な溶液を塗布された面には軽剥離性コーティングが形成され、希薄な溶液を塗布された面には重剥離性コーティングが形成される。シリコーン系の剥離剤組成物を塗布して剥離性を付与する場合、組成物中に非反応性シリコーンを配合すると、非反応性シリコーンがシリコーン硬化皮膜からブリードアウトして、硬化皮膜上に非反応性シリコーンの薄い皮膜が形成されるので、軽剥離性コーティングとなる。また、シリコーン系剥離剤組成物中の架橋剤量を増すことなどにより、重剥離性コーティングを形成することができる。
軽剥離用、中剥離用、重剥離用、剥離コントロール用などの剥離剤又は剥離紙用離型剤と銘うって、剥離性の異なる各種の剥離剤が市販されている。例えば、信越化学工業(株)からは、剥離紙用離型剤として、一般用ＫＳ７７０Ａ、ＫＳ７７６Ａ、ＫＳ８３８、ＫＳ７０５Ｆ、軽剥離用ＫＳ６７９Ｈ、ＫＳ８３７、ＫＳ７７８、中・重剥離用ＫＳ８３０、ＫＳ８３９、剥離コントロール用ＫＳ７０８Ａ、ＫＳ７１８などが販売され、東レ・ダウコーニングシリコーン(株)、東芝シリコーン(株)などからも同様に各種の剥離剤が販売されている。これらの市販の剥離剤を適宜組み合わせることにより、所望の剥離性を有する長尺シートを製造することができる。
【０００７】
図２は、本発明の粘着剤積層シートの製造方法の一態様の説明図である。本態様においては、第一のロール巻原反６より軽剥離性コーティングを施した第一の長尺シート７を繰り出し、凹版シリンダー８と圧着シリンダー９により、コーティング面に粘着剤液１０を所望の図柄などに印刷する。粘着剤液が印刷された長尺シートは、乾燥部１１において溶媒が揮散され、コーティング面に所望の図柄の粘着剤層５が形成される。第二のロール巻原反１２より重剥離性コーティングを施した第二の長尺シート１３を繰り出し、第一の長尺シート上に形成された粘着剤層とコーティング面が接するように、ニップローラー１４において積層して、本発明の粘着剤積層シート１５を完成し、巻取ロールに巻き取って、粘着剤積層シートロール１６を得る。本態様においては、軽剥離性コーティングを施した長尺シートに粘着剤層を形成したのち、重剥離性コーティングを施した長尺シートを積層したが、この順序を逆にして、重剥離性コーティングを施した長尺シートに粘着剤層を形成したのち、軽剥離性コーティングを施した長尺シートを積層することもできる。また、本態様においては、凹版シリンダーを用いてグラビヤ印刷を行ったが、印刷方式に特に制限はなく、例えば、凸版印刷、平版印刷などを行うことも可能である。
【０００８】
図３は、本発明の粘着剤層の転写方法の一態様の説明図である。粘着剤積層シートロール１６から粘着剤積層シート１５を繰り出し、剥離ローラー１７において軽剥離性コーティングを施した第一の長尺シート７を引き剥がして粘着剤層５を露出させ、第一の長尺シートは巻取ロール１８に巻き取る。２枚の長尺シートのコーティング面の剥離性には軽重の差があるので、軽剥離性コーティングが施された第一の長尺シートが剥離して、粘着剤層は重剥離性コーティングが施された第二の長尺シート上に残存する。粘着剤積層シート１５と第一の長尺シート７のなす角度を小さくする、すなわち、シートの進行方向に対して急激な方向変化を設定すると、第一の長尺シートの引き剥がしを良好に行うことができる。
粘着剤層が露出した長尺シートを転写工程に送り、圧接器１９により粘着剤層を被転写物２０に接触させ、さらに第二の長尺シート１３の背面から加圧することにより、粘着剤層を被転写物に転写する。本発明方法によれば、粘着剤層を圧接器により加圧するので、被転写物が不織布、ネット、エンボス加工品などの非平滑面を有する物品や、非極性などの難転写性の表面を有する物品であっも、容易かつ確実に粘着剤層を転写することができる。被転写物が長尺の物品であるときは、被転写物を粘着剤積層シートと平行方向又は直角方向に連続的にピッチ移動させつつ転写することができる。粘着剤層が転写により除去された第二の長尺シート１３は、巻取ロール２１に巻き取る。
【０００９】
本発明方法においては、粘着剤層を被転写物に転写する際に、転写部を加熱することができる。転写部を加熱することにより、粘着剤層の粘度を下げて、より確実に転写することができる。転写部を加熱する方法に特に制限はなく、例えば、圧接器の圧接面を加熱しておくことにより、長尺シートの背面から加熱することができ、あるいは、被転写物が厚さの薄い物品である場合には、被転写物の背面に熱盤を設けて、被転写物の背面から加熱することもできる。
本発明においては、粘着剤層に感熱接着剤を配合することができる。粘着剤層に感熱接着剤を適量配合することにより、粘着剤層に感熱性を付与し、粘着剤層を被転写物に転写する際に転写部を加熱することにより、感熱接着効果を発現させることができる。また、粘着剤層を形成する樹脂が架橋性を有すると、非平滑面への転写が良好となる。
本発明においては、粘着剤層に着色剤を配合することができる。配合する着色剤に特に制限はなく、例えば、顔料、染料、金属粉などを挙げることができる。粘着剤層に着色剤を配合することにより、粘着剤層が転写された被転写物の装飾効果を高めることができる。また、粘着剤層を文字、数字などの形状とすることにより、別工程の印刷を省略することができる。
【００１０】
【発明の効果】
本発明の粘着剤積層シートを用いることにより、粘着剤層を非極性の難転写表面や、不織布、ネット、エンボス加工品などの非平滑面にも容易かつ確実に転写することができる。
【図面の簡単な説明】
【図１】図１は、本発明の粘着剤積層シートの一態様の模式的部分断面図である。
【図２】図２は、本発明の粘着剤積層シートの製造方法の一態様の説明図である。
【図３】図３は、本発明の粘着剤層の転写方法の一態様の説明図である。
【符号の説明】
１  軽剥離性コーティング
２  長尺シート
３  重剥離性コーティング
４  長尺シート
５  粘着剤層
６  第一のロール巻原反
７  第一の長尺シート
８  凹版シリンダー
９  圧着シリンダー
１０  粘着剤液
１１  乾燥部
１２  第二のロール巻原反
１３  第二の長尺シート
１４  ニップローラー
１５  粘着剤積層シート
１６  粘着剤積層シートロール
１７  剥離ローラー
１８  巻取ロール
１９  圧接器
２０  被転写物
２１  巻取ロール
【図１】
0003722704.tif 000002
【図２】
0003722704.tif 000003
【図３】
0003722704.tif 000004